【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
デバイス間の直接通信(Ｄ２Ｄ：Ｄｅｖｉｃｅ  ｔｏ  Ｄｅｖｉｃｅ)サービスのためのデバイス情報を伝送するための方法であって、
第１領域内の第１トーンを通じて第１情報を伝送する過程と、
第２領域内の第２トーンを通じて前記第１情報を伝送する過程と、
第３領域内の多数のトーンを含むリソース領域を通じて第２情報を伝送する過程と、を含み、
前記第１情報は、デバイス情報のビットのうち第１部分を含み、
前記第２情報は、デバイス情報のビットのうち第２部分を含み、
前記第１トーンは、前記第１領域のｎ番目のシンボル及びｍ番目の副搬送波に位置し、
前記第２トーンは、前記第２領域のｍ番目のシンボル及びｎ番目の副搬送波に位置し、
前記第３領域内のリソース領域によって占有される少なくとも一つの副搬送波及び少なくとも一つのシンボルは、前記ｍ又は前記ｎのうち少なくとも一つに基づいて決定される方法。
【請求項２】
前記デバイス情報は、前記デバイスの識別情報、関心(ｉｎｔｅｒｅｓｔ)分野及び応用プログラム情報の少なくとも一つを含む請求項１に記載の方法。
【請求項３】
前記第１情報を伝送する過程は、
前記第１情報に基づいて、探索区間の前記第１領域内の前記多数のトーンのうち前記第１トーンを決定する過程と、
前記第１トーンを用いて前記第１情報を伝送する過程と、を含む請求項１に記載の方法。
【請求項４】
前記第２情報を伝送する過程は、
前記第３領域内のｍ番目のシンボルに属するトーンの集合又はｎ番目のシンボルに属するトーンの集合を通じて前記第２情報を伝送する過程を含む請求項１に記載の方法。
【請求項５】
前記第２情報を伝送する過程は、
前記第３領域内のｍ番目の副搬送波に属するトーンの集合又はｎ番目の副搬送波に属するトーンの集合を通じて前記第２情報を伝送する過程を含む請求項１に記載の方法。
【請求項６】
前記第２情報は、前記第１部分及び前記第２部分の結合により決定される前記デバイス情報を検証するための連結情報を含む請求項１に記載の方法。
【請求項７】
前記連結情報は、前記第１領域内の前記第１トーンのシンボル順序及び前記デバイス情報のＣＲＣ(Ｃｙｃｌｉｃ  Ｒｅｄｕｎｄａｎｃｙ  Ｃｈｅｃｋ)の少なくとも一つを含む請求項６に記載の方法。
【請求項８】
デバイス間の直接通信（Ｄ２Ｄ:Ｄｅｖｉｃｅ  ｔｏ  Ｄｅｖｉｃｅ）サービスのためのデバイス情報を受信するための方法であって、
第１領域内の第１トーンを通じて第１情報を受信する過程と、
第２領域内の第２トーンを通じて前記第１情報を受信する過程と、
第３領域内の多数のトーンを含むリソース領域を通じて第２情報を受信する過程と、を含み、
前記第１情報は、デバイス情報のビットのうち第１部分を含み、
前記第２情報は、デバイス情報のビットのうち第２部分を含み、
前記第１トーンは、前記第１領域のｎ番目のシンボル及びｍ番目の副搬送波に位置し、
前記第２トーンは、前記第２領域のｍ番目のシンボル及びｎ番目の副搬送波に位置し、
前記第３領域内のリソース領域によって占有される少なくとも一つの副搬送波及び少なくとも一つのシンボルは、前記ｍ又は前記ｎのうち少なくとも一つに基づいて決定される方法。
【請求項９】
前記第２情報及び前記第１情報を結合することにより他の装置のデバイス情報を決定する過程をさらに含む請求項８に記載の方法。
【請求項１０】
前記第２情報は、前記第１部分及び前記第２部分の結合により決定される前記デバイス情報を検証するための連結情報を含む請求項８に記載の方法。
【請求項１１】
前記連結情報は、前記第１領域内の前記第１トーンのシンボル順序及び前記デバイス情報のＣＲＣ（Ｃｙｃｌｉｃ  Ｒｅｄｕｎｄａｎｃｙ  Ｃｈｅｃｋ）の少なくとも一つを含む請求項１０に記載の方法。
【請求項１２】
前記ＣＲＣを用いて前記第１情報および前記第２情報を結合することにより生成されるデバイス情報の有効性を判断する過程をさらに含む請求項１１に記載の方法。
【請求項１３】
電子装置であって
第１領域内の第１トーンを通じて第１情報を伝送し、第２領域内の第２トーンを通じて前記第１情報を伝送し、第３領域内の多数のトーンを含むリソース領域を通じて第２情報を伝送する送信部を含み、
前記第１情報は、デバイス情報のビットのうち第１部分を含み、
前記第２情報は、デバイス情報のビットのうち第２部分を含み、
前記第１トーンは、前記第１領域のｎ番目のシンボル及びｍ番目の副搬送波に位置し、
前記第２トーンは、前記第２領域のｍ番目のシンボル及びｎ番目の副搬送波に位置し、
前記第３領域内のリソース領域によって占有される少なくとも一つの副搬送波及び少なくとも一つのシンボルは、前記ｍ又は前記ｎのうち少なくとも一つに基づいて決定される装置。
【請求項１４】
前記デバイス情報は、前記デバイスの識別情報、関心（ｉｎｔｅｒｅｓｔ）分野及び応用プログラム情報の少なくとも一つを含む請求項１３に記載の装置。
【請求項１５】
前記第１情報に基づいて、探索区間の前記第１領域内の前記多数のトーンのうち前記第１トーンを決定する制御部をさらに含む請求項１３に記載の装置。
【請求項１６】
前記送信部は、前記第３領域内のｍ番目のシンボルに属するトーンの集合又はｎ番目のシンボルに属するトーンの集合を通じて前記第２情報を伝送する請求項１３に記載の装置。
【請求項１７】
前記送信部は、前記第３領域内のｍ番目の副搬送波に属するトーンの集合又はｎ番目の副搬送波に属するトーンの集合を通じて前記第２情報を伝送する請求項１３に記載の装置。
【請求項１８】
前記第２情報は、前記第１部分及び前記第２部分の結合により決定される前記デバイス情報を検証するための連結情報を含む請求項１３に記載の装置。
【請求項１９】
前記連結情報は、前記第１領域内の前記第１トーンのシンボル順序及び前記デバイス情報のＣＲＣ（Ｃｙｃｌｉｃ  Ｒｅｄｕｎｄａｎｃｙ  Ｃｈｅｃｋ）の少なくとも一つを含む請求項１８に記載の装置。
【請求項２０】
電子装置であって、
第１領域内の第１トーンを通じて第１情報を受信し、第２領域内の第２トーンを通じて前記第１情報を受信し、第３領域内の多数のトーンを含むリソース領域を通じて第２情報を受信する受信部を含み、
前記第１情報は、デバイス情報のビットのうち第１部分を含み、
前記第２情報は、デバイス情報のビットのうち第２部分を含み、
前記第１トーンは、前記第１領域のｎ番目のシンボル及びｍ番目の副搬送波に位置し、
前記第２トーンは、前記第２領域のｍ番目のシンボル及びｎ番目の副搬送波に位置し、
前記第３領域内のリソース領域によって占有される少なくとも一つの副搬送波及び少なくとも一つのシンボルは、前記ｍ又は前記ｎのうち少なくとも一つに基づいて決定される装置。
【請求項２１】
前記第２情報及び前記第１情報を結合することにより他の装置のデバイス情報を決定する制御部をさらに含む請求項２０に記載の装置。
【請求項２２】
前記第２情報は、前記第１部分及び前記第２部分の結合により決定される前記デバイス情報を検証するための連結情報を含む請求項２０に記載の装置。
【請求項２３】
前記連結情報は、前記第１領域内の前記第１トーンのシンボル順序及び前記デバイス情報のＣＲＣ（Ｃｙｃｌｉｃ  Ｒｅｄｕｎｄａｎｃｙ  Ｃｈｅｃｋ）の少なくとも一つを含む請求項２２に記載の装置。
【請求項２４】
前記ＣＲＣを用いて前記第１情報及び前記第２情報を結合することにより生成されるデバイス情報の有効性を判断する制御部をさらに含む請求項２３に記載の装置。